(57)【要約】【課題】ユーザ識別手段を別途意識的に携帯することなく、ユーザ認証を行うことができるユーザ認証システムおよび充電器兼無線ＩＣチップリーダを提供する。【解決手段】本発明のユーザ認証システム１は、携帯電話２を使用してユーザの認証を行うもので、ユーザを一意に識別するユーザ識別情報が記録された無線ＩＣチップ６を有する携帯電話２と、携帯電話２が接続されると、携帯電話２を充電するのと同時に、無線通信により、携帯電話２の有する無線ＩＣチップ６に記録されているユーザ識別情報を読み出す充電器兼無線ＩＣチップリーダ３と、充電器兼無線ＩＣチップリーダ３から送信される、無線ＩＣチップ６から読み出されたユーザ識別情報を受信し、そのユーザ識別情報に基づいてユーザの認証を行うクライアントコンピュータ４とを備えることを特徴とする。【選択図】図１
2005301454.tif 000002
【特許請求の範囲】
【請求項１】
携帯電話を使用してユーザの認証を行うユーザ認証システムであって、
ユーザを一意に識別するユーザ識別情報が記録された無線ＩＣチップを有する携帯電話と、
前記携帯電話が接続されると、該携帯電話を充電すると同時に、無線通信により、前記携帯電話の有する無線ＩＣチップに記録されているユーザ識別情報を読み出し、送信する充電器兼無線ＩＣチップリーダと、
前記充電器兼無線ＩＣチップリーダから送信される、前記無線ＩＣチップから読み出されたユーザ識別情報を受信し、該ユーザ識別情報に基づいて前記ユーザの認証を行うクライアントコンピュータとを備えることを特徴とするユーザ認証システム。
【請求項２】
前記充電器兼無線ＩＣチップリーダは、前記クライアントコンピュータとＵＳＢインタフェイスを介して接続され、該ＵＳＢインタフェイスを介して前記クライアントコンピュータから電源を供給されて動作する請求項１に記載のユーザ認証システム。
【請求項３】
前記充電器兼無線ＩＣチップリーダは、前記クライアントコンピュータから送信されるユーザ識別情報を受信し、無線通信により、前記無線ＩＣチップにユーザ識別情報を書き込む、または書き換える請求項１または２に記載のユーザ認証システム。
【請求項４】
前記クライアントコンピュータは、前記携帯電話と前記充電器兼無線ＩＣチップリーダとが接続された状態において、該充電器兼無線ＩＣチップリーダから送信される、前記無線ＩＣチップから読み出されたユーザ識別情報を受信すると、前記ユーザ識別情報に基づいて、該クライアントコンピュータの使用権限を有するユーザか否かの認証を試み、認証された場合に、前記ユーザ識別情報に応じて、前記ユーザのログイン処理を行うとともに、あらかじめ設定されているプログラムを起動して実行する請求項１ないし３のいずれかに記載のユーザ認証システム。
【請求項５】
前記プログラムは、前記クライアントコンピュータのシステムのロックを実現するスクリーンセーバの解除および／または前記クライアントコンピュータと接続可能なサーバに対してログインを行うものである請求項４に記載のユーザ認証システム。
【請求項６】
前記クライアントコンピュータは、前記ユーザ識別情報により識別されるユーザに応じて、実行する前記プログラムを制限する請求項４または５に記載のユーザ認証システム。
【請求項７】
前記無線ＩＣチップは、前記携帯電話に取り付けられる携帯ストラップに埋め込まれて実装されており、前記携帯ストラップには、前記ユーザに対応した色および／または模様が設けられている請求項６に記載のユーザ認証システム。
【請求項８】
前記無線ＩＣチップは、前記携帯電話に取り付けられる携帯ストラップに埋め込まれて実装されている請求項１ないし５のいずれかに記載のユーザ認証システム。
【請求項９】
前記無線ＩＣチップは、前記携帯電話の本体表面に実装されている請求項１ないし５のいずれかに記載のユーザ認証システム。
【請求項１０】
前記無線ＩＣチップは、前記携帯電話の本体内部に実装されている請求項１ないし５のいずれかに記載のユーザ認証システム。
【請求項１１】
前記クライアントコンピュータは、前記充電器兼無線ＩＣチップリーダから前記携帯電話が解除されると、前記ユーザのログオフ処理を行うとともに、あらかじめ設定されているプログラムを起動して実行する請求項１ないし１０のいずれかに記載のユーザ認証システム。
【請求項１２】
前記プログラムは、前記クライアントコンピュータのシステムのロックを実現するスクリーンセーバの起動および／または前記クライアントコンピュータと接続されているサーバからのログオフを行うものである請求項１１に記載のユーザ認証システム。
【請求項１３】
ユーザを一意に識別するユーザ識別情報が記録された無線ＩＣチップを有する携帯電話が接続される接続部と、
前記接続部に前記携帯電話が接続されると、該携帯電話を充電すると同時に、無線通信により、前記携帯電話の有する無線ＩＣチップに記録されているユーザ識別情報を読み出す読み出し部と、
前記読み出し部により読み出した前記ユーザ識別情報を送信する通信制御部とを備えることを特徴とする充電器兼無線ＩＣチップリーダ。
【請求項１４】
ユーザを一意に識別するユーザ識別情報が記録された無線ＩＣチップを有する携帯電話が接続される接続部と、
前記接続部に前記携帯電話が接続されると、該携帯電話を充電すると同時に、無線通信により、前記携帯電話の有する無線ＩＣチップに記録されているユーザ識別情報を読み出す読み出し部と、
前記読み出し部により読み出した前記ユーザ識別情報を送信する通信制御部と、
送信元から送信される、ユーザを一意に識別するユーザ識別情報を前記通信制御部により受信し、無線通信により、前記無線ＩＣチップに前記ユーザ識別情報を書き込む、または書き換える書き込み部とを備えることを特徴とする充電器兼無線ＩＣチップリーダ。
【発明の詳細な説明】
【技術分野】
【０００１】
本発明は、ユーザ認証システムおよび充電器兼無線ＩＣチップリーダに関するものである。
【背景技術】
【０００２】
例えば、コンピュータ等を利用したシステムにおいては、正当な使用権限のないユーザの不正使用を防止するために、ユーザの認証を行い、使用権限のあるユーザだけが、そのシステムを使用することができるように管理されている。
【０００３】
このようなユーザ認証を行う手段として、従来、例えばＩＣカードやＵＳＢメモリなどを利用したユーザ認証システムが知られている（例えば、特許文献１参照）。
【０００４】
ＩＣカードを利用したユーザ認証システムでは、ＩＣカードおよびＩＣカードリーダを備え、ＩＣカードに記録されたユーザ識別情報をＩＣカードリーダで読み取ることによって個々のユーザを認証する。
【０００５】
また、ＵＳＢメモリを利用したユーザ認証システムでは、ＵＳＢメモリをシステムのＵＳＢコネクタに差し込み、ＵＳＢメモリに記録されたユーザ識別情報をＵＳＢインタフェイスを介して読み取ることによって個々のユーザを認証する。
【０００６】
しかし、これら従来のユーザ認証システムでは、ＩＣカードやＵＳＢメモリなどのユーザ識別情報が記録された手段が別途必要であり、ユーザ認証を行う時には常にこれらのユーザ識別手段を携帯していなければならないという問題があった。
【０００７】
このため、ユーザ識別手段を別途意識的に携帯することなく、ユーザ認証を行うことができるユーザ認証システムに対する要求があった。
【０００８】
【特許文献１】特開２００２−２２９９５８号公報
【発明の開示】
【発明が解決しようとする課題】
【０００９】
本発明の目的は、ユーザ識別手段を別途意識的に携帯することなく、ユーザ認証を行うことができるユーザ認証システムおよび充電器兼無線ＩＣチップリーダを提供することにある。
【課題を解決するための手段】
【００１０】
このような目的は、下記（１）〜（１４）の本発明により達成される。
（１）  携帯電話を使用してユーザの認証を行うユーザ認証システムであって、
ユーザを一意に識別するユーザ識別情報が記録された無線ＩＣチップを有する携帯電話と、
前記携帯電話が接続されると、該携帯電話を充電すると同時に、無線通信により、前記携帯電話の有する無線ＩＣチップに記録されているユーザ識別情報を読み出し、送信する充電器兼無線ＩＣチップリーダと、
前記充電器兼無線ＩＣチップリーダから送信される、前記無線ＩＣチップから読み出されたユーザ識別情報を受信し、該ユーザ識別情報に基づいて前記ユーザの認証を行うクライアントコンピュータとを備えることを特徴とするユーザ認証システム。
【００１１】
（２）  前記充電器兼無線ＩＣチップリーダは、前記クライアントコンピュータとＵＳＢインタフェイスを介して接続され、該ＵＳＢインタフェイスを介して前記クライアントコンピュータから電源を供給されて動作する上記（１）に記載のユーザ認証システム。
【００１２】
（３）  前記充電器兼無線ＩＣチップリーダは、前記クライアントコンピュータから送信されるユーザ識別情報を受信し、無線通信により、前記無線ＩＣチップにユーザ識別情報を書き込む、または書き換える上記（１）または（２）に記載のユーザ認証システム。
【００１３】
（４）  前記クライアントコンピュータは、前記携帯電話と前記充電器兼無線ＩＣチップリーダとが接続された状態において、該充電器兼無線ＩＣチップリーダから送信される、前記無線ＩＣチップから読み出されたユーザ識別情報を受信すると、前記ユーザ識別情報に基づいて、該クライアントコンピュータの使用権限を有するユーザか否かの認証を試み、認証された場合に、前記ユーザ識別情報に応じて、前記ユーザのログイン処理を行うとともに、あらかじめ設定されているプログラムを起動して実行する上記（１）ないし（３）のいずれかに記載のユーザ認証システム。
【００１４】
（５）  前記プログラムは、前記クライアントコンピュータのシステムのロックを実現するスクリーンセーバの解除および／または前記クライアントコンピュータと接続可能なサーバに対してログインを行うものである上記（４）に記載のユーザ認証システム。
【００１５】
（６）  前記クライアントコンピュータは、前記ユーザ識別情報により識別されるユーザに応じて、実行する前記プログラムを制限する上記（４）または（５）に記載のユーザ認証システム。
【００１６】
（７）  前記無線ＩＣチップは、前記携帯電話に取り付けられる携帯ストラップに埋め込まれて実装されており、前記携帯ストラップには、前記ユーザに対応した色および／または模様が設けられている上記（６）に記載のユーザ認証システム。
【００１７】
（８）  前記無線ＩＣチップは、前記携帯電話に取り付けられる携帯ストラップに埋め込まれて実装されている上記（１）ないし（５）のいずれかに記載のユーザ認証システム。
【００１８】
（９）  前記無線ＩＣチップは、前記携帯電話の本体表面に実装されている上記（１）ないし（５）のいずれかに記載のユーザ認証システム。
【００１９】
（１０）  前記無線ＩＣチップは、前記携帯電話の本体内部に実装されている上記（１）ないし（５）のいずれかに記載のユーザ認証システム。
【００２０】
（１１）  前記クライアントコンピュータは、前記充電器兼無線ＩＣチップリーダから前記携帯電話が解除されると、前記ユーザのログオフ処理を行うとともに、あらかじめ設定されているプログラムを起動して実行する上記（１）ないし（１０）のいずれかに記載のユーザ認証システム。
【００２１】
（１２）  前記プログラムは、前記クライアントコンピュータのシステムのロックを実現するスクリーンセーバの起動および／または前記クライアントコンピュータと接続されているサーバからのログオフを行うものである上記（１１）に記載のユーザ認証システム。
【００２２】
（１３）  ユーザを一意に識別するユーザ識別情報が記録された無線ＩＣチップを有する携帯電話が接続される接続部と、
前記接続部に前記携帯電話が接続されると、該携帯電話を充電すると同時に、無線通信により、前記携帯電話の有する無線ＩＣチップに記録されているユーザ識別情報を読み出す読み出し部と、
前記読み出し部により読み出した前記ユーザ識別情報を送信する通信制御部とを備えることを特徴とする充電器兼無線ＩＣチップリーダ。
【００２３】
（１４）  ユーザを一意に識別するユーザ識別情報が記録された無線ＩＣチップを有する携帯電話が接続される接続部と、
前記接続部に前記携帯電話が接続されると、該携帯電話を充電すると同時に、無線通信により、前記携帯電話の有する無線ＩＣチップに記録されているユーザ識別情報を読み出す読み出し部と、
前記読み出し部により読み出した前記ユーザ識別情報を送信する通信制御部と、
送信元から送信される、ユーザを一意に識別するユーザ識別情報を前記通信制御部により受信し、無線通信により、前記無線ＩＣチップに前記ユーザ識別情報を書き込む、または書き換える書き込み部とを備えることを特徴とする充電器兼無線ＩＣチップリーダ。
【発明の効果】
【００２４】
本発明によれば、携帯電話を充電する時同時に、ユーザになんら意識させることなく、携帯電話の有する無線ＩＣメモリからユーザ識別情報を読み出してユーザの認証を行うことができる。
【００２５】
また、携帯電話は既に広く普及しており、ユーザは、ユーザ認証のために、ＩＣカードやＵＳＢメモリなどのユーザ認証手段を別途携帯する必要もなく、ユーザ識別情報の読み取り手段を別途用意する必要もないという利点がある。
【発明を実施するための最良の形態】
【００２６】
以下、本発明のユーザ認証システムを添付図面に示す好適実施形態に基づいて詳細に説明する。
【００２７】
図１は、本発明のユーザ認証システムの実施形態を表す概略図、図２は、携帯ストラップの概略図、図３は、充電器兼無線ＩＣチップリーダの概略図、図４は、充電器兼無線ＩＣチップリーダの内部ブロック図である。
【００２８】
同図に示すユーザ認証システム１は、携帯電話を利用して個々のユーザを識別し、認証するもので、携帯電話２と、充電器兼無線ＩＣチップリーダ３と、クライアントコンピュータ４と、サーバコンピュータ５とを備えている。
【００２９】
ユーザ認証システム１において、まず、携帯電話２は、無線通話・無線通信などの携帯電話本来の機能を有するもので、個々のユーザを識別するためのユーザ識別情報（識別子）が記録された無線ＩＣチップ（無線ＩＣタグ）を備えている。無線ＩＣチップは、無線通信によって、後述する無線ＩＣチップリーダライタ１３との間で、ユーザ識別データの送受信（ユーザ識別情報の読み出しおよび書き込み）を行うことが可能である。
【００３０】
本実施形態の場合、携帯電話２の本体部分は従来公知の構成で、図２に示すように、無線ＩＣチップ６は、その両側に無線通信用のアンテナ７が接続された状態で、本体に取り付けられた携帯ストラップ８の紐の内部に埋め込まれている。無線ＩＣチップ６を携帯ストラップ８に埋め込むことによって、携帯電話２の本体部分をなんら変更することなく、無線ＩＣチップ６を実装することができる。
【００３１】
また、例えば携帯ストラップ８が青色の場合は医師、赤色の場合は看護婦というように、携帯ストラップ８の色および模様のいずれか一方または両方をユーザ毎に設定するのが好ましい。これによって、目視による識別を組み合わせることもできる。
【００３２】
なお、ユーザ識別情報は、例えば識別番号などのように、本ユーザ認証システム１において、ユーザの認証のために個々のユーザを一意に識別することができる情報であれば何ら限定されない。また、無線ＩＣチップ６は、携帯ストラップ８に埋め込んで実装することに限定されず、例えば携帯電話２の本体内部に実装してもよいし、本体表面にシールで貼り付けるなどして実装してもよい。
【００３３】
続いて、充電器兼無線ＩＣチップリーダ３は、携帯電話２の充電を行う機能に加えて、無線ＩＣチップ６との間でユーザ識別情報の送受信（ユーザ識別情報の書き込みおよび読み出し）を行う機能を備えている。
【００３４】
本実施形態の場合、充電器兼無線ＩＣチップリーダ３は、クレードル（接続台）タイプのもので、携帯電話２を充電器兼無線ＩＣチップリーダ３の所定位置に載せることによって、両者は、互いの携帯電話コネクタ（接続部）（図示省略）を介して直接的に接続される。また、図３に示すように、充電器兼無線ＩＣチップリーダ３には、ＵＳＢケーブル９を介してＵＳＢコネクタ１０が接続されており、このＵＳＢコネクタ１０をクライアントコンピュータ４のＵＳＢコネクタ（図示省略）に差し込むことによって両者は接続されている。充電器兼無線ＩＣチップリーダ３の動作に必要な電源は、ＵＳＢ経由でクライアントコンピュータ４から供給される。
【００３５】
なお、充電器兼無線ＩＣチップリーダ３は、クレードルタイプのものに限定されず、例えば携帯電話２と充電器兼無線ＩＣチップリーダ３との間をケーブルで接続するタイプのものでもよい。また、充電器兼無線ＩＣチップリーダ３の電源は、ＵＳＢインタフェイス経由で供給するものに限定されず、別途電源ケーブルを介して電源を供給するようにしてもよい。充電器兼無線ＩＣチップリーダ３の内部構成の詳細は後述する。
【００３６】
続いて、クライアントコンピュータ４は、充電器兼無線ＩＣチップリーダ３から供給される、無線ＩＣチップ６から読み出されたユーザ識別情報に基づいてユーザ認証を行う機能を備えるもので、認証されたユーザが使用する端末コンピュータである。また、サーバコンピュータ５は、クライアントコンピュータ４から利用可能な各種データなどを記録するもの（データベース）で、ネットワーク１１を介してクライアントコンピュータ４と接続されている。
【００３７】
なお、ユーザ認証システム１において、携帯電話２、充電器兼無線ＩＣチップリーダ３、クライアントコンピュータ４、およびサーバコンピュータ５は各１台に限定されず、必要に応じて各々複数台を使用することもできる。また、サーバコンピュータ５は、ユーザ認証システム１に必須の要素ではなく、必要に応じて適宜設けることが好ましい。
【００３８】
次に、充電器兼無線ＩＣチップリーダ３について説明する。
図４に示すように、充電器兼無線ＩＣチップリーダ３は、充電装置１２と、無線ＩＣチップリーダライタ（読み出し部兼書き込み部）１３と、通信制御部１４と、電源供給部１５とを備えている。
【００３９】
充電装置１２、無線ＩＣチップリーダライタ１３、および通信制御部１４は、電源供給部１５と接続され、無線ＩＣチップリーダライタ１３は通信制御部１４と接続されている。また、通信制御部１４および電源供給部１５は、ＵＳＢケーブル９を介してクライアントコンピュータ４のＵＳＢコネクタと接続するためのＵＳＢコネクタ１０と接続され、充電装置１２は、携帯電話２の携帯電話コネクタと接続するための携帯電話コネクタ１６と接続されている。
【００４０】
電源供給部１５は、充電装置１２、無線ＩＣチップリーダライタ１３、および通信制御部１４の各部位に電源を供給する。前述の通り、充電器兼無線ＩＣチップリーダ３の電源は、ＵＳＢインタフェイスを介してクライアントコンピュータ４から供給される。ＵＳＢコネクタ１０およびＵＳＢケーブル９を介して供給された電源は電源供給部１５に入力され、電源供給部１５から、充電装置１２、無線ＩＣチップリーダライタ１３、および通信制御部１４の各部位に供給される。
【００４１】
充電装置１２は、携帯電話２が充電器兼無線ＩＣチップリーダ３の所定位置に載せられ、携帯電話コネクタ１６を介して接続された場合に、これを検知し、携帯電話コネクタ１６を介して携帯電話２を充電する。
【００４２】
無線ＩＣチップリーダライタ１３は、同じく携帯電話２が充電器兼無線ＩＣチップリーダ３の所定位置に載せられ、携帯電話コネクタ１６を介して接続された場合に、これを検知し、無線通信により、無線ＩＣチップ６に記録されているユーザ識別情報を読み出す、もしくはクライアントコンピュータ４から送信されてくるユーザ識別情報を無線ＩＣチップ６に書き込む。
【００４３】
通信制御部１４は、無線ＩＣチップリーダライタ１３によって読み出されたユーザ識別情報を、ＵＳＢケーブル９およびＵＳＢコネクタ１０を介してクライアントコンピュータ４に送信する、もしくはクライアントコンピュータ４からＵＳＢケーブル９およびＵＳＢコネクタ１０を介して送信されてくるユーザ識別情報を受信し、無線ＩＣチップリーダライタ１３に供給する。
【００４４】
次に、ユーザ認証システム１の作用を説明する。
まず、携帯電話２が充電器兼無線ＩＣチップリーダ３に載せられ、無線ＩＣチップ６からユーザ識別情報を読み出す場合の作用を説明する。
【００４５】
図５は、ユーザ認証システムの作用を表す第１のフローチャートである。
同図に示すように、携帯電話２が、充電器兼無線ＩＣチップリーダ３に載せられると、充電装置１２により検知され、携帯電話コネクタ１６を介して携帯電話２が充電される。同時に、携帯電話２は、無線ＩＣチップリーダライタ１３により検知され（ステップＳ１１）、無線通信により、無線ＩＣチップ６に記録されているユーザ識別情報が読み出される（ステップＳ１２）。
【００４６】
続いて、無線ＩＣチップ６から読み出されたユーザ識別情報は、無線ＩＣチップリーダライタ１３から通信制御部１４に送信され（ステップＳ１３）、さらに通信制御部１４から、ＵＳＢケーブル９およびＵＳＢコネクタ１０を介してクライアントコンピュータ４に送信される（ステップＳ１４）。
【００４７】
クライアントコンピュータ４では、充電器兼無線ＩＣチップリーダ３から送信されるユーザ識別情報を受信すると、常駐プログラムによって、これを検知し（ステップＳ１５）、このユーザ識別情報に基づいて、このユーザが、このクライアントコンピュータ４の正当な使用権限のあるユーザか否かの認証を試みる。
【００４８】
ユーザが認証されると、クライアントコンピュータ４へのログイン処理が行われた後、常駐プログラムにより、ユーザ識別情報により識別されるユーザに応じて、あらかじめ設定されている個別のプログラムが起動され、実行される（ステップＳ１６）。例えば、クライアントコンピュータ４のシステムをロックしている（システムを使用不可にしている）、スクリーンセーバが解除されてユーザがクライアントコンピュータ４を使用可能な状態となり、さらにサーバコンピュータ５との間でアクセス認証処理（ログイン処理）が行われ、サーバコンピュータ５へのアクセスも可能な状態となる。
【００４９】
また、前述したように、ユーザ識別情報により識別されるユーザに応じてプログラムを実行するため、例えば、クライアントコンピュータ４は、ユーザが医師であると判断したときは、前述した動作が行われるが、ユーザが看護婦であると判断した時は、スクリーンセーバのみを解除し、サーバコンピュータ５へのアクセスは認証しないといった制御も可能となる。これにより、セキュリティが容易に確保される。
【００５０】
このように、充電器兼無線ＩＣチップリーダ３を備えたユーザ認証システム１によれば、ユーザになんら意識させることなく、携帯電話２の充電およびユーザ識別情報を読み出してのユーザの認証を行うことができる。例えば、オフィスにいる時に、携帯電話２の充電を行いたいという要求と、仕事で使用するクライアントコンピュータ４やサーバコンピュータ５における認証処理およびログイン処理を行う必要があるという要求を同時に満足させることができる。
【００５１】
また、携帯電話２は既に広く普及しており、ユーザは、ユーザ認証のために、ＩＣカードやＵＳＢメモリなどのユーザ認証手段を別途携帯する必要もなく、ユーザ識別情報の読み取り手段を別途用意する必要もないという利点がある。
【００５２】
さらに、携帯ストラップ８の色および模様のうちのいずれか１つまたは両方をユーザ毎にグループ分けするなどして、目視による識別も併せて可能とすることにより、正当な使用権限のあるユーザかどうかを人間が目で見てある程度判断することができるようになり、不正使用を抑止する効果がある。
【００５３】
次に、上記ユーザの認証が行われた状態で、無線ＩＣチップ６にユーザ識別情報を書き込む（書き換える）場合の作用を説明する。
【００５４】
図６は、ユーザ認証システムの作用を表す第２のフローチャートである。
同図に示すように、クライアントコンピュータ４からＵＳＢコネクタ１０およびＵＳＢケーブル９を介してユーザ識別情報が送信される（ステップＳ２１）。
【００５５】
クライアントコンピュータ４から送信されるユーザ識別情報は通信制御部１４によって受信され（ステップＳ２２）、さらに通信制御部１４から無線ＩＣチップリーダライタ１３に送信される（ステップＳ２３）。
【００５６】
無線ＩＣチップリーダライタ１３では、通信制御部１４からユーザ識別情報を受信すると、無線通信により、通信制御部１４から送信されてきたユーザ識別情報が無線ＩＣチップ６に書き込まれる（ステップＳ２４）。
このように、ユーザ識別情報を書き込む（書き換える）ことも可能である。
【００５７】
なお、ユーザ識別情報の書き込みは、システムの管理者権限を有する者などだけが実行可能とするのが好ましい。また、ユーザ識別情報の書き込みの機能は必須ではなく、充電器兼無線ＩＣチップリーダ３は、少なくともユーザ識別情報の読み出しの機能だけを備えていればよい。
【００５８】
また、本実施形態では、クライアントコンピュータ４を用いて（クライアントコンピュータ４を送信元として）無線ＩＣチップ６にユーザ識別情報を書き込んだが（書き換えたが）、送信元は特に限定されず、無線ＩＣチップ６に書き込める（書き換える）ものであればよい。
【００５９】
次に、携帯電話２が充電器兼無線ＩＣチップリーダ３から取り去られた場合の作用を説明する。
【００６０】
図７は、ユーザ認証システムの作用を表す第３のフローチャートである。
同図に示すように、携帯電話２が充電器兼無線ＩＣチップリーダ３から取り去られると、充電装置１２により検知され、携帯電話２の充電が停止されるのと同時に、無線ＩＣチップリーダライタ１３により検知され（ステップＳ３１）、携帯電話２が取り去られたことが、無線ＩＣチップリーダライタ１３から通信制御部１４に通知され（ステップＳ３２）、さらに通信制御部１４からクライアントコンピュータ４に通知される（ステップＳ３３）。
【００６１】
クライアントコンピュータ４では、充電器兼無線ＩＣチップリーダ３から送信される通知を受信すると、常駐プログラムによって、携帯電話２が取り去られたことを検知し（ステップＳ３４）、あらかじめ設定されている、ユーザ識別情報に応じた個別のプログラムが起動され、実行される（ステップＳ３５）。例えば、スクリーンセーバが起動されて、ユーザのクライアントコンピュータからのログオフ処理が行われ、ユーザによるクライアントコンピュータ４の操作ができないようにシステムがロックされるのと同時に、サーバコンピュータ５からもログオフされてサーバコンピュータ５との接続が解除される。
【００６２】
このように、ユーザ認証システム１では、携帯電話２が充電器兼無線ＩＣチップリーダ３から取り去られるのと同時に、クライアントコンピュータ４やサーバコンピュータ５を使用できなくなる。このため、正当な使用権限のあるユーザが電話中に、使用権限のないユーザがクライアントコンピュータ４やサーバコンピュータ５を使用することはできず、セキュリティ面でも安全である。
【００６３】
以上、本発明のユーザ認証システムを、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【００６４】
また、本発明は、前記各実施形態のうちの、任意の２以上の構成（特徴）を組み合わせたものであってもよい。
【図面の簡単な説明】
【００６５】
【図１】本発明のユーザ認証システムの実施形態を表す概略図である。
【図２】携帯ストラップの概略図である。
【図３】充電器兼無線ＩＣチップリーダの概略図である。
【図４】充電器兼無線ＩＣチップリーダの内部ブロック図である。
【図５】ユーザ認証システムの作用を表す第１のフローチャートである。
【図６】ユーザ認証システムの作用を表す第２のフローチャートである。
【図７】ユーザ認証システムの作用を表す第３のフローチャートである。
【符号の説明】
【００６６】
１……ユーザ認証システム
２……携帯電話
３……充電器兼無線ＩＣチップリーダ
４……クライアントコンピュータ
５……サーバコンピュータ
６……無線ＩＣチップ
７……アンテナ
８……携帯ストラップ
９……ＵＳＢケーブル
１０……ＵＳＢコネクタ
１１……ネットワーク
１２……充電装置
１３……無線ＩＣチップリーダライタ
１４……通信制御部
１５……電源供給部
１６……携帯電話コネクタ
【図１】
2005301454.tif 000003
【図２】
2005301454.tif 000004
【図３】
2005301454.tif 000005
【図４】
2005301454.tif 000006
【図５】
2005301454.tif 000007
【図６】
2005301454.tif 000008
【図７】
2005301454.tif 000009